(57)【要約】【課題】サーバにおいて視聴情報を容易に管理することが可能な、視聴情報を送信する移動型放送受信装置及びその方法を提供する。【解決手段】放送受信装置３の制御部１００は、デジタル放送受信機能を起動すると、起動した時の時刻を視聴開始時刻とし、視聴中の番組情報（サービスＩＤ等）及び受信地域情報（エリアコード等）と共に視聴情報として視聴番組記録部１１２に記録する。また、デジタル放送受信機能が停止すると、その時の時刻を視聴終了時刻とし、視聴情報に追加して視聴番組記録部１１２に記録する。そして、制御部１００は、設定したタイマーが満了して送信時刻であることを判断すると、視聴情報を視聴番組記録部１１２から読み出し、集計サーバへ送信する。【選択図】図７
2007202031.tif 000002
【特許請求の範囲】
【請求項１】
ネットワークを介した情報の送受信を行う送受信部と、
放送波を受信する放送受信部と、
放送番組の視聴情報が記録される記録部と、
放送番組の視聴履歴と当該放送受信装置の受信地域情報とを関連付た番組の視聴情報を、前記送受信部によりネットワーク上のサーバへ送信制御する制御部とを備えたことを特徴とする移動型放送受信装置。
【請求項２】
請求項１に記載の移動型放送受信装置において、
前記制御部は、前記送受信部を介して、番組の視聴情報を収集するためのメッセージを受信すると、該受信したメッセージに基づいて、記録部に記録された番組の視聴情報をサーバへ送信制御することを特徴とする移動型放送受信装置。
【請求項３】
請求項２に記載の移動型放送受信装置において、
前記メッセージは、番組の視聴情報をサーバへ送信する時刻に関する情報を含み、
前記制御部は、該時刻になると、記録部に記録された番組の視聴情報をサーバへ送信制御することを特徴とする移動型放送受信装置。
【請求項４】
請求項２または３に記載の移動型放送受信装置において、
前記制御部は、前記送受信部がメッセージを受信した場合に、ユーザ操作により視聴情報送信の許可の入力があった後に、前記メッセージに基づいて、記録部に記録された番組の視聴情報をサーバへ送信することを特徴とする移動型放送受信装置。
【請求項５】
請求項２に記載の移動型放送受信装置において、
前記送受信部は、プッシュ型のＳＭＳ（Ｓｈｏｒｔ  Ｍｅｓｓａｇｅ  Ｓｅｒｖｉｃｅ）により、番組の視聴情報を収集するためのメッセージを受信することを特徴とする移動型放送受信装置。
【請求項６】
請求項２に記載の移動型放送受信装置において、
前記送受信部は、マルチキャスト通信により、番組の視聴情報を収集するためのメッセージを受信することを特徴とする移動型放送受信装置。
【請求項７】
請求項１から６までのいずれか一項に記載の移動型放送受信装置において、
前記番組の視聴情報は、少なくとも、番組情報、視聴開始時間、視聴終了時間及び受信地域情報を含むことを特徴とする移動型放送受信装置。
【請求項８】
放送波を受信し、放送番組の視聴履歴と該視聴を行った受信地域情報とを関連付けた番組の視聴情報を、ネットワーク上のサーバへ送信することを特徴とする視聴情報送信方法。
【発明の詳細な説明】
【技術分野】
【０００１】
本発明は、移動型の放送受信装置における視聴情報送信技術に関する。
【背景技術】
【０００２】
地上デジタルテレビジョン放送は２００３年１２月に開始され、２００６年春には新しく携帯受信向けの１セグ放送サービスが開始される予定である。１セグ放送サービスは、１チャンネル分の帯域が１３のセグメントに分けられ、そのうちの１セグメントを使用して携帯受信向けに提供されるサービスであり、変調方式を携帯受信用に変更することによって移動受信に強いサービスを提供することを可能とするものである。
【０００３】
地上デジタル放送では、現在の地上アナログ放送と同様に、民放局により無料で放送サービスが提供されることになるので、広告効果を測るための視聴率調査システムが必要となる。
【０００４】
デジタル放送サービス用の視聴率調査システムとして、例えば、特許文献１には、データ放送を利用することにより特別な視聴率調査機器を必要としない技術が提案されている。この視聴率調査システムは、データ放送を利用してデジタル放送の視聴率を調査するものであるが、自宅据置型の通常の放送受信装置により実現することを想定しているので、メモリサイズ等のハードウェア仕様に制約のある携帯可能な移動型の放送受信装置には必ずしも好適であるとはいえない。移動型放送受信装置の場合は、視聴者の所在が一定でないため、視聴している絶対数や比率だけでなく、どこで番組を視聴しているかという視聴場所情報も広告主にとっては重要になる可能性がある。前述の視聴率調査システムでは視聴場所情報を含めた調査を行うことができない。
【０００５】
このような課題を解決するため、特許文献２の技術が提案されている。この視聴率調査システムは、番組情報送信用のスクリプトをデータ放送により通常放送と共に送信し、放送局から移動型放送受信装置に対して一定時間間隔で送信されるトリガ信号に合わせて、アンテナ情報またはＧＰＳの位置情報と視聴中の番組情報とをサーバへ送信するものである。
【０００６】
【特許文献１】特開２００２−２７１２８６号公報
【特許文献２】特開２００４−２７４３９４号公報
【発明の開示】
【発明が解決しようとする課題】
【０００７】
ところで、１セグ放送サービスでは、狭い帯域によってビデオストリーム、オーディオストリーム、字幕ストリーム及びデータ放送用データが同時に配信される。このため、１セグ放送サービスにおいて視聴率を調査する場合に、前述の特許文献２に示した、視聴情報収集用のスクリプトを放送波で常時送信する方式を用いると、帯域が圧迫されてしまうという問題がある。
【０００８】
また、特許文献２の方式は、放送波によりトリガ信号を送信して視聴情報を収集する構成になっているため、デジタル放送を視聴している場合にしか視聴情報を収集することができないという問題がある。また、デジタル放送を視聴していない場合にも視聴情報を収集しようとすると、デジタル放送を視聴していないときもチューナを起動し、常に放送波中のトリガ信号を監視する必要がある。このため、バッテリを無駄に消費してしまうという問題がある。
【０００９】
また、この方式は、サーバが、放送波によりトリガ信号を送信させることにより、視聴情報を収集するから、受信機能を有する全ての装置を測定対象として視聴率情報を収集することができる。しかし、悪意をもったユーザが複数台の装置により同一の番組を視聴することにより、意図的に視聴率を上げることができるという問題がある。
【００１０】
そこで、本発明は上記課題を解決するためになされたものであり、その目的は、サーバにおいて視聴情報を容易に管理することが可能な、視聴情報を送信する移動型放送受信装置及びその方法を提供することにある。
【課題を解決するための手段】
【００１１】
上記課題を解決するため、本発明による放送受信装置は、ネットワークを介した情報の送受信を行う送受信部と、放送波を受信する放送受信部と、放送番組の視聴情報が記録される記録部と、放送番組の視聴履歴と当該放送受信装置の受信地域情報とを関連付た番組の視聴情報を、前記送受信部によりネットワーク上のサーバへ送信制御する制御部とを備えたことを特徴とする。
【００１２】
また、本発明による放送受信装置は、前記制御部が、前記送受信部を介して、番組の視聴情報を収集するためのメッセージを受信すると、該受信したメッセージに基づいて、記録部に記録された番組の視聴情報をサーバへ送信制御することを特徴とする。
【００１３】
また、本発明による放送受信装置は、前記メッセージが、番組の視聴情報をサーバへ送信する時刻に関する情報を含み、前記制御部が、該時刻になると、記録部に記録された番組の視聴情報をサーバへ送信制御することを特徴とする。
【００１４】
また、本発明による放送受信装置は、前記制御部が、前記送受信部がメッセージを受信した場合に、ユーザ操作により視聴情報送信の許可の入力があった後に、前記メッセージに基づいて、記録部に記録された番組の視聴情報をサーバへ送信することを特徴とする。
【００１５】
また、本発明による放送受信装置は、前記送受信部が、プッシュ型のＳＭＳ（Ｓｈｏｒｔ  Ｍｅｓｓａｇｅ  Ｓｅｒｖｉｃｅ）により、番組の視聴情報を収集するためのメッセージを受信することを特徴とする。
【００１６】
また、本発明による放送受信装置は、前記送受信部が、マルチキャスト通信により、番組の視聴情報を収集するためのメッセージを受信することを特徴とする。
【００１７】
また、本発明による放送受信装置は、前記番組の視聴情報が、少なくとも、番組情報、視聴開始時間、視聴終了時間及び受信地域情報を含むことを特徴とする。
【００１８】
本発明を放送受信装置として説明したが、本発明はこれらに実質的に相当する方法としても実現し得るものであり、本発明には、視聴情報送信方法も包含される。すなわち、本発明による視聴情報送信方法は、放送波を受信し、放送番組の視聴履歴と該視聴を行った受信地域情報とを関連付けた番組の視聴情報を、ネットワーク上のサーバへ送信することを特徴とする。
【発明の効果】
【００１９】
本発明によれば、番組の視聴履歴と受信地域情報とが関連付けられた視聴情報がサーバへ送信されるから、サーバは、移動により所在が変更する放送受信装置に適した視聴情報の集計及び統計を、容易に実現することができる。
【発明を実施するための最良の形態】
【００２０】
以下、本発明の実施の形態について図面を用いて詳細に説明する。
〔構成〕
図１は、本発明の実施の形態による移動型の放送受信装置を含む全体のシステム構成図である。このシステムは、放送局１、コンピュータセンター２、及び移動型の放送受信装置３により構成される。放送局１は、１セグ放送サービスを提供し、それによる放送波を放送受信装置３へ送信する。コンピュータセンター２には、ＳＭＳ（Ｓｈｏｒｔ  Ｍｅｓｓａｇｅ  Ｓｅｒｖｉｃｅ）サーバ等のメッセージを生成するサーバ及び集計サーバが設けられており（図示せず）、ＳＭＳサーバ等は、番組の視聴情報を放送受信装置３から送信させるために、ＳＭＳによるショートメッセージやマルチキャストのメッセージをネットワークを介して対象とする放送受信装置３へ送信し、集計サーバは、番組の視聴情報をネットワークを介して放送受信装置３から受信して視聴率に関する統計処理を行う。
【００２１】
図２は、図１に示した移動型の放送受信装置３の構成を示すブロック図である。この放送受信装置３は、制御部１００、デジタル受信部１０１、復調部１０２、多重分離部１０３、映像復調部１０４、映像表示部１０５、データ放送処理部１０６、音声復調部１０７、音声出力部１０８、メモリ部１０９、携帯電話部１１０、入力部１１１、視聴番組記録部１１２、Ｕ／Ｖアンテナ１１３、及び電話部アンテナ１１４を備えている。
【００２２】
また、放送受信装置３は、以下の４つの機能を備えている。
（１）デジタル放送の受信、チューニング、復調、ＭＰＥＧ２  ＴＳ処理、ビデオデコード、オーディオデコード等の処理を、Ｕ／Ｖアンテナ１１３、デジタル受信部１０１、復調部１０２、多重分離部１０３、映像復調部１０４、映像表示部１０５、データ放送処理部１０６、音声復調部１０７及び音声出力部１０８により行うデジタル放送受信機能。
（２）視聴した番組の番組情報、視聴開始時間、視聴終了時間、視聴地域情報等を記録する処理を、制御部１００及び視聴番組記録部１１２により行う視聴情報記録機能。
（３）記録された番組の視聴情報をコンピュータセンター２の集計サーバへ送信する処理を、制御部１００、携帯電話部１１０及び電話部アンテナ１１４により行う視聴情報送信機能。
（４）コンピュータセンター２からのメッセージを受信し、その内容に従って前記（３）視聴情報送信機能を起動する処理を、制御部１００、携帯電話部１１０及び電話部アンテナ１１４により行うメッセージ受信処理機能。
【００２３】
デジタル受信部１０１がＵ／Ｖアンテナ１１３を介して放送波を受信すると、復調部１０２は、放送波のＲＦ信号をチューニングする。具体的には、ＲＦ信号をチャンネル信号に周波数変換し、当該チャンネル信号を復調してＭＰＥＧ（Ｍｏｖｉｎｇ  Ｐｉｃｔｕｒｅ  Ｃｏｄｉｎｇ  Ｅｘｐｅｒｔｓ  Ｇｒｏｕｐ）のＴＳ（Ｔｒａｎｓｐｏｒｔ  Ｓｔｒｅａｍ：トランスポートストリーム）信号を生成する。多重分離部１０３は、ＴＳ信号から、映像パケット、データ放送パケット、音声パケット等を検出し、それぞれのパケットをデコードする。映像復調部１０４は映像データを復調して画面表示用の映像データを生成し、データ放送処理部１０６はデータ放送から画面表示用のデータ放送を生成し、映像表示部１０５は、画面表示用の映像データ及びデータ放送を画面に表示する。音声復調部１０７は、音声データを復調しスピーカ等の音声出力部１０８に出力する。
【００２４】
携帯電話部１１０は、通常の携帯電話機能を実現する。また、電話部アンテナ１１４を介してコンピュータセンター２のサーバ及び集計サーバとの間のネットワークにより、データの送受信を行う。入力部１１１は、放送受信装置３を利用して１セグ放送サービスの提供を受けるユーザのキー操作等を入力する。視聴番組記録部１１２は、制御部１００により番組の視聴情報が記録される。
【００２５】
制御部１００は、デジタル受信部１０１、復調部１０２及び多重分離部１０３との間で制御情報の入出力を行い、特に多重分離部１０３からＮＩＴ（Ｎｅｔｗｏｒｋ  Ｉｎｆｏｒｍａｔｉｏｎ  Ｔａｂｌｅ）に含まれるサービスＩＤ（ｓｅｒｖｉｃｅ＿ｉｄ）、エリアコード等の情報を入力する。また、制御部１００は、視聴情報を生成して視聴番組記録部１１２に記録し、ネットワーク、電話部アンテナ１１４及び携帯電話部１１０を介してコンピュータセンター２のサーバからショートメッセージやマルチキャストのメッセージ等を受信し、視聴番組記録部１１２から視聴情報を読み出し、携帯電話部１１０、電話部アンテナ１１４及びネットワークを介してコンピュータセンター２の集計サーバへ番組の視聴情報等を送信する。また、前記受信したメッセージに従って、所定のデータを画面に表示する。メモリ部１０９は、制御部１００の各種処理に応じたデータが一時的に格納され、携帯電話部１１０やデジタル受信部１０１等の各処理のために必要なデータが格納されている。
【００２６】
〔視聴情報記録処理〕
次に、視聴情報記録処理について説明する。図３は、視聴情報記録機能を有効にするための処理を示す概念図である。コンピュータセンター２のサーバは、視聴情報の調査対象を任意に選出し、選出した対象の放送受信装置３へ、番組の視聴情報を収集するための調査協力依頼のメッセージを送信する。調査対象となる放送受信装置３が当該メッセージを受信すると（ステップＳ３１）、制御部１００は、調査協力依頼のメッセージを画面に表示し（ステップＳ３２）、ユーザによる操作入力（許諾、拒否等）を待つ。
【００２７】
ユーザが「許諾」を選択する場合、入力部１１１を介して「許諾」を入力し、この入力に応じて所定のメッセージを画面に表示し（ステップＳ３３）、調査協力許諾の応答をサーバへ送信すると共に、視聴情報記録機能を有効にする（ステップＳ３４）。サーバは、調査協力許諾の応答を受信すると、その放送受信装置３に関する情報を調査対象テーブルに登録する。一方、ユーザが「拒否」を選択する場合、入力部１１１を介して「拒否」を入力し、該入力に応じて所定のメッセージを画面に表示し（ステップＳ３５）、調査協力拒否の応答をサーバへ送信し、処理を終了する。
【００２８】
図４は、メッセージにより視聴情報記録機能を無効にするための処理を示す概念図である。サーバは、調査対象テーブルに登録された放送受信装置３の視聴情報収集が、予め設定された視聴情報終了期間の経過により終了した場合に、番組の視聴情報の収集を終了する旨のメッセージをその放送受信装置３へ送信する。放送受信装置３が当該メッセージを受信すると（ステップＳ４１）、調査が終了した旨のメッセージを画面に表示し（ステップＳ４２）、視聴情報記録機能を無効にする（ステップＳ４３）。そして、サーバは、無効にした旨の情報を放送受信装置３から受信すると、調査対象テーブルからその放送受信装置３に関する情報を抹消する。
【００２９】
図５は、ユーザ操作により視聴情報記録機能を無効にするための処理を示す概念図である。ユーザが視聴情報記録機能の解除（収集終了）を操作する場合、放送受信装置３の入力部１１１を介して当該解除操作を入力し、携帯電話部１１０を介してサーバへ接続して、解除の旨の情報を送信すると共に（ステップＳ５１）、所定のメッセージを画面に表示する（ステップＳ５２）。サーバは、解除の旨の情報を受信すると、調査対象テーブルから、解除の旨の情報を送信した放送受信装置３に関する情報を抹消する。そして、放送受信装置３が抹消完了を受信すると、放送受信装置３の制御部１００は、所定のメッセージを画面に表示し（ステップＳ５３）、視聴情報記録機能を無効にする（ステップＳ５４）。
【００３０】
図７は、視聴情報記録処理を説明するためのフローチャート図である。放送受信装置３の制御部１００は、図３に示したステップ３４において視聴情報記録機能を有効にし、その後ユーザの操作によりデジタル放送受信機能の起動を入力部１１１から入力されると、デジタル放送受信機能を起動する。そして、起動した時の時刻を視聴開始時刻とし、多重分離部１０３から視聴中の番組情報や受信地域情報を入力する。ここで、視聴中の番組情報とは、例えばＮＩＴに含まれるサービスＩＤやＥＩＴ（Ｅｖｅｎｔ  Ｉｎｆｏｒｍａｔｉｏｎ  Ｔａｂｌｅ）に含まれるイベントＩＤをいい、受信地域情報とは、例えばＮＩＴに含まれるエリアコードをいう。尚、ＧＰＳにより得た放送受信装置３の位置情報を受信地域情報としてもよい。
【００３１】
制御部１００は、視聴開始時刻、視聴中の番組情報、受信地域情報等を視聴情報として視聴番組記録部１１２に記録する（ステップＳ１００）。そして、入力部１１１を介して選局情報を入力し（ステップＳ１０１）、ユーザの選局等の操作により視聴する番組が変わった場合には、制御部１００は、そのタイミングを選局前の番組の視聴終了時刻として、視聴番組記録部１１２に記録して視聴情報に追加する。さらに、選局後の番組に関して、同様に視聴開始時刻、番組情報、受信地域情報等を視聴情報として視聴番組記録部１１２に記録する（ステップＳ１０５）。
【００３２】
制御部１００は、ユーザの操作によりデジタルテレビ受信機能の終了を入力部１１１から入力すると（ステップＳ１０２）、当該機能を終了する。そして、終了した時の時刻を番組の視聴終了時刻とし、視聴番組記録部１１２に記録して視聴情報に追加する（ステップＳ１０３）。そして、終了処理を行う（ステップＳ１０４）。
【００３３】
図６は、視聴番組記録部１１２に記録された視聴情報の例を示す図である。図６において、「エリア・コード」が受信地域情報に、「サービスＩＤ」や「イベントＩＤ」が視聴中の番組情報に、「開始時間」が視聴開始時刻に、「終了時間」が視聴終了時刻にそれぞれ相当する。制御部１００は、図６に示したような番組毎の視聴情報を視聴番組記録部１１２に記録するが、ユーザ操作により視聴番組記録部１１２にアクセスできないようになっている。具体的には、制御部１００は、ユーザ操作による視聴番組記録部１１２へのアクセスを入力部１１１を介して入力しても、その入力を拒否する。このように、視聴情報をユーザへ提示することがないから、データは閲覧されず、データの改ざんを防止することができる。
【００３４】
〔視聴情報送信・収集処理〕
次に、視聴情報送信・収集処理について説明する。図８は、タイマーによる視聴情報送信・収集処理を説明するためのフローチャート図であり、放送受信装置３がタイマー設定された時刻になると視聴情報を送信し、集計サーバが視聴情報を収集する処理が示されている。図３に示したように、放送受信装置３の制御部１００が、視聴情報記録機能を有効にする際に（ステップＳ３４）調査協力許諾の応答をサーバへ送信すると、サーバは、当該応答を受信し、視聴情報をタイマーにて毎日収集する場合には、それを示す時間情報のメッセージを放送受信装置３へ送信する。制御部１００は、当該時間情報を取得し、送信時刻をタイマーに設定する。そして、制御部１００は、タイマーが満了して送信時刻であることを判断すると（ステップＳ２００）、視聴情報を視聴番組記録部１１２から読み出し（ステップＳ２０１）、集計サーバへ送信する（ステップＳ２０２）。そして、読み出した視聴情報を視聴番組記録部１１２から消去する（ステップＳ２０３）。
【００３５】
図９は、プッシュ型ＳＭＳメッセージ（ショートメッセージ）による視聴情報送信・収集処理を説明するためのフローチャート図であり、放送受信装置３がＳＭＳサーバから受信したショートメッセージにより起動されて視聴情報を送信し、集計サーバが視聴情報を収集する処理が示されている。サーバは、視聴情報の収集対象となる放送受信装置３を選定し、選定した放送受信装置３に対して、視聴情報送信用のショートメッセージ（ＳＭＳプッシュ）を送信する。放送受信装置３は、当該ショートメッセージを受信し（ステップＳ３００）、番組を視聴中であると判断した場合に（ステップＳ３０１）、ショートメッセージを受信した時刻を番組の視聴終了時刻として視聴番組記録部１１２に記録する（ステップＳ３０２）。そして、視聴情報を視聴番組記録部１１２から読み出し（ステップＳ３０３）、集計サーバへ送信する（ステップＳ３０４）。そして、読み出した視聴情報を視聴番組記録部１１２から消去する（ステップＳ３０５）。
【００３６】
図９に示した送信を起動させるショートメッセージによる視聴情報送信・収集処理により、集計サーバは、放送受信装置３毎に視聴情報を収集するようにしたので、個々の放送受信装置３からの送信時刻を分散することができ、ネットワークの負荷を軽減することができる。また、リアルタイムに情報を収集することもできる。
【００３７】
また、選定した放送受信装置３宛のショートメッセージを用いる代わりに、マルチキャストのメッセージを用いて、視聴情報を一斉に収集するようにしてもよい。具体的には、サーバは、マルチキャストのメッセージを送信する。マルチキャストのメッセージを受信した放送受信装置３は、図９に示したステップ３０１〜３０５の処理を行う。この場合、サーバは、マルチキャストにより同一のメッセージを同時に、受信可能な複数の放送受信装置３へ送信することになるから、複数の放送受信装置３から視聴情報が一斉に送信され、ネットワークに負荷がかかってしまう。これに対し、サーバが受信地域毎にマルチキャスト通信によりメッセージを送信し、その受信地域の放送受信装置３のみが視聴情報を送信すると、ネットワークの負荷の低減を図ることができる。尚、このマルチキャストは、例えば、ＣＤＭＡ２０００  １ｘＥＶ−ＤＯ方式を用いたシステムにおいて、ＢＣＭＣＳ（Ｂｒｏａｄｃａｓｔ／Ｍｕｌｔｉｃａｓｔ  Ｓｅｒｖｉｃｅｓ）により実現される。
【００３８】
以上、実施の形態を挙げて本発明を説明したが、本発明は上記実施の形態に限定されるものではなく、本発明の精神及び意図を逸脱しない限り、種々変形が可能である。例えば、上記実施の形態では移動型の放送受信装置３を例にして説明したが、携帯端末装置にも適用することができる。
【図面の簡単な説明】
【００３９】
【図１】本発明の実施の形態による放送受信装置を含む全体のシステム構成図である。
【図２】本発明の実施の形態による放送受信装置の構成を示すブロック図である。
【図３】視聴情報記録機能を有効にするための処理を示す概念図である。
【図４】メッセージにより視聴情報記録機能を無効にするための処理を示す概念図である。
【図５】ユーザ操作により視聴情報記録機能を無効にするための処理を示す概念図である。
【図６】視聴番組記録部１１２に記録された視聴情報の例を示す図である。
【図７】視聴情報記録処理を説明するためのフローチャート図である。
【図８】タイマーによる視聴情報送信・収集処理を説明するためのフローチャート図である。
【図９】プッシュ型メッセージによる視聴情報送信・収集処理を説明するためのフローチャート図である。
【符号の説明】
【００４０】
１  放送局
２  コンピュータセンター
３  放送受信装置
１００  制御部
１０１  デジタル受信部
１０２  復調部
１０３  多重分離部
１０４  映像復調部
１０５  映像表示部
１０６  データ放送処理部
１０７  音声復調部
１０８  音声出力部
１０９  メモリ部
１１０  携帯電話部
１１１  入力部
１１２  視聴番組記録部
１１３  Ｕ／Ｖアンテナ
１１４  電話部アンテナ
【図１】
2007202031.tif 000003
【図２】
2007202031.tif 000004
【図３】
2007202031.tif 000005
【図４】
2007202031.tif 000006
【図５】
2007202031.tif 000007
【図６】
2007202031.tif 000008
【図７】
2007202031.tif 000009
【図８】
2007202031.tif 000010
【図９】
2007202031.tif 000011